(57)【要約】      （修正有）【課題】換気量を測定しながら、人工呼吸換気バックを手軽に繰り返し揉む練習ができるようにすること。【解決手段】人工呼吸換気バック換気量測定器本体１は、液体が充鎮され少なくとも一部に透明部を有する容器本体１と、前記容器本体内を第１室４、及び第２室に仕切るための仕切部材８とを備え、前期第１室４、及び第2室が通液孔２を通して連通されるとともに、前記第2室が人工呼吸換気バックに通気孔を通して連通され、前記人工呼吸換気バックを揉むと、その空気圧力が前記通気孔２を通して前期第2室の液面に作用し、前記第2室の液体が前記通液孔３を通して前期第1室４に流れ、これによって、前記第1室４の液面レベルが変動し、この液面レベルの変動を利用して換気量を計測するようになっている。【選択図】図１
2008048865.tif 000002
【特許請求の範囲】
【請求項１】
液体が充鎮され少なくとも一部に透明部を有する容器本体と、前記容器本体内を第１及び第２室に仕切るための仕切部材とを備え、前期第１及び第2室が通液孔を通して連通さえるとともに、前記第2室が人工呼吸換気バックに通気孔を通して連通され、前記人工呼吸換気バックを揉むと、その空気圧力が前記通気孔を通して前期第2室の液面に作用し、前記第2室の液体が前記通液孔を通して前期第1室に流れ、これによって、前記第1室の液面レベルが変動し、この液面レベルの変動を利用して換気量を計測することを特徴とする人工呼吸換気バック用換気量測定器。
【請求項２】
前記容器本体には、前記透明部に連通して液体の液面レベルを計測するための換気量目盛りが施されていることを特徴とする請求項１に記載の人工呼吸換気バック用換気量測定器。
【請求項３】
前記透明部は前記第2室に関連して設けられ、前期換気量目盛は前記第2室の液体の液面レベルの下降量を計測することを特徴とする請求項２に記載の人工呼吸換気バック用換気量測定器。
【請求項４】
前記透明部は前記第1室に関連して設けられ、前期換気量目盛は前記第1室の液体の液面レベルの上昇量を計測することを特徴とする請求項２に記載の人工呼吸換気バック用換気量測定器。
【発明の詳細な説明】
【技術分野】
【０００１】
本発明は、人口呼吸換気バックの練習用、換気量測定器用具に関するものである。
【背景技術】
【０００２】
今まで、人口呼吸換気バックの換気量を、測定しながらの練習用換気量測定器は換気量が時計のように針が回るため一回ずつ計算するか針を戻す必要がある、機械的に測定する物であった、又あるものはマネキン人形型の胸郭が動く大形で高価な物であった。
【発明の開示】
【発明が解決しようとする課題】
【０００３】
通常は人工呼吸器を使用するが、お風呂や、病院における検査、移動、人工呼吸器の故障時などの様に人工呼吸器が使用できない場合、人口呼吸換気バックが使用されている。人口呼吸器では一回換気量を定められた量だけ換気しているが、人工呼吸換気バックでは胸郭の動きなどにより換気量を経験で判断して行なっている。人工呼吸換気を練習するにも高価で人形型の大きな物であったり、機械式の換気量測定器は針が時計式に回るため一回ずつ計算するか、針を戻す必要がある不都合を生じる。
【課題を解決するための手段】
【０００４】
前記目的を達成するため、本発明は、液体が充鎮され少なくとも一部に透明部を有する容器本体と、前記容器本体内を第１及び第２室に仕切るための仕切部材とを備え、前期第１及び第2室が通液孔を通して連通さえるとともに、前記第2室が人工呼吸換気バックに通気孔を通して連通され、前記人工呼吸換気バックを揉むと、その空気圧力が前記通気孔を通して前期第2室の液面に作用し、前記第2室の液体が前記通液孔を通して前期第1室に流れ、これによって、前記第1室の液面レベルが変動し、この液面レベルの変動を利用して換気量を計測するという構成を採っている。
【０００５】
本発明において、前記容器本体には、前記透明部に連通して液体の液面レベルを計測するための換気量目盛りが施された構成とすることが好ましい。
【０００６】
更に、前記透明部は前記第2室に関連して設けられ、前期換気量目盛は前記第2室の液体の液面レベルの下降量を計測する構成とすることが好ましい。
【０００７】
また、前記透明部は前記第1室に関連して設けられ、前期換気量目盛は前記第1室の液体の液面レベルの上昇量を計測する構成とすることが好ましい。
【発明の効果】
【０００８】
本発明の人工呼吸換気バック換気量測定器は、安価で、容器に液体を入れるだけなので扱いも簡単であり手軽に使用出来るため、病院の外来、病棟などに置く事が出来、医師、看護師、患者家族、医療関係者、人工呼吸器を使用している人の関係者などが手軽に練習出来る。また、人工呼吸換気バックの講習に使用できる効果がある。この、人工呼吸換気バック換気量測定器を使用して練習すれば換気量を眼で見ながら出来、また、多少の圧力を感じながら練習できる。人工呼吸器に繋げば人工呼吸器の換気の状態が眼で見られ、人工呼吸器の講習にも使用できる、特に呼気終末陽圧（PEEP）についても眼で見ながら説明ができる。また、人工呼吸器が故障しているのか、人工呼吸器使用者に問題があるのか解らない時など、本発明に接続することで判断する事ができる。
【発明を実施するための最良の形態】
【０００９】
本発明の最良の形態を図面を参照して説明する。
【００１０】
図１には、本発明の人工呼吸換気バック換気量測定器の斜視図が示され、図４、図５は図２の平面図中のA―A、B−Bの断面図が示されたている。これらの図において人工呼吸換気バック換気量測定器本体１は、液体が充鎮され少なくとも一部に透明部を有する容器本体１と、前記容器本体内を第１室４、及び第２室５に仕切るための仕切部材８とを備え、前期第１室４、及び第2室５が通液孔２を通して連通さえるとともに、前記第2室５が人工呼吸換気バック９に通気孔を通して連通され、前記人工呼吸換気バック９を揉むと、その空気圧力が前記通気孔２を通して前期第2室５の液面に作用し、前記第2室５の液体が前記通液孔３を通して前期第1室４に流れ、これによって、前記第1室４の液面レベルが変動し、この液面レベルの変動を利用して換気量を計測するようになっている。
【００１１】
図６は人工呼吸換気バック９である。図７は本発明に液体を入れ人工呼吸換気バック９を接続した斜視図であり、図８は図７の状態で人工呼吸換気バック９を揉んだ時の斜視図である。
【００１２】
前記容器本体１には、前記透明部に連通して液体の液面レベルを計測するための第1室換気量目盛６，第2室換気量目盛７が施されているようになっている。
【００１３】
前記透明部は前記第2室５に関連して設けられ、前期換気量目盛７は前記第2室５の液体の液面レベルの下降量を計測するようになっている。
【００１４】
前記透明部は前記第1室４に関連して設けられ、前期換気量目盛６は前記第1室４の液体の液面レベルの上昇量を計測するようになっている。
【図面の簡単な説明】
【００１５】
【図１】人工呼吸換気バック換気量測定器の斜視図である。
【図２】図１の正面図である。
【図３】図１の平面図である。
【図４】図３中のA―A部断面図である。
【図５】図３中のB−B部断面図である。
【図６】人工呼吸換気バック
【図７】本発明に液体を入れ人工呼吸換気バックを接続した斜視図である。
【図８】図７の状態で人工呼吸換気バックを揉んだ時の斜視図である。
【符号の説明】
【００１６】
１  人工呼吸換気バック換気量測定器本体
２  通気孔
３  通液孔
４  第１室
５  第２室
６  第１室換気量目盛
７  第２室換気量目盛
８  仕切部材
９  人工呼吸換気バック
【図１】
2008048865.tif 000003
【図２】
2008048865.tif 000004
【図３】
2008048865.tif 000005
【図４】
2008048865.tif 000006
【図５】
2008048865.tif 000007
【図６】
2008048865.tif 000008
【図７】
2008048865.tif 000009
【図８】
2008048865.tif 000010